(57)【要約】【課題】  受圧板設置作業上の煩雑さを解消し、打ち込まれたアンカー部材を傾かせること無く適切な位置及び角度を保ちながら、座布団部材を適切に膨らますことができる受圧板の設置工法を提供する。【解決手段】  アンカー孔の口部周辺に係止する外フランジ３２をパイプ本体３１の中間部３０Ｍに設けた第一パイプ部材３０をアンカー孔２０の口部２２に嵌め込む工程と、アンカー孔２０から突出した前記第一パイプ部材３０の突出部３４に座布団部材５０を敷設し、且つ受圧板６０の下面に当接して該受圧板６０を前記傾斜地盤１０から所定量持ち上げた位置に位置決めするための外フランジ４２をパイプ本体４１の受圧板載置側端部４０Ｅに設けた第二パイプ部材４０を、前記第一パイプ部材３０に設けられた突出部３４に嵌め込む工程と、前記第二パイプ部材４０の外フランジ４２に受圧板６０を載置した状態で前記座布団部材５０に固結材５２を注入する工程とを備えた。【選択図】  図５  
2005350991.tif 000002
【特許請求の範囲】
【請求項１】
傾斜地盤の地崩れを防止するために設置されたアンカー部材の基端に受圧板を取り付ける受圧板の設置工法であって、
前記アンカー部材が設置されるアンカー孔の口部周辺を均し且つ該口部周辺に係止する外フランジをパイプ本体の中間部に設けた第一パイプ部材を前記アンカー孔の口部に嵌め込む工程（第１工程）と、
前記アンカー孔から突出した前記第一パイプ部材の突出部に座布団部材を敷設し、且つ前記受圧板の下面に当接して該受圧板を前記傾斜地盤から所定量持ち上げた位置に位置決めするための外フランジをパイプ本体の受圧板載置側端部に設けた第二パイプ部材を、前記第一パイプ部材に設けられた突出部に嵌め込む工程（第２工程）と、
前記第二パイプ部材の外フランジに受圧板を載置した状態で前記座布団部材に固結材を注入する工程（第３工程）とを備えたことを特徴とする受圧板の設置工法。
【請求項２】
傾斜地盤の地崩れを防止するために設置されたアンカー部材の基端に受圧板を取り付ける受圧板の設置構造であって、
前記アンカー部材が設置されるアンカー孔の口部に嵌め込まれ、且つ該口部に係止する外フランジをパイプ本体の中間部に設けた第一パイプ部材と、
前記第一パイプ部材に設けられた突出部に嵌め込まれ、且つ前記受圧板の下面に当接して該受圧板を前記傾斜地盤から所定量持ち上げた位置に位置決めするための外フランジをパイプ本体の受圧板載置側端部に設けた第二パイプ部材と、
前記第一パイプ部材の外フランジと前記第二パイプ部材の外フランジとの間に設けられる座布団部材と、
前記第二パイプ部材の外フランジに載置される受圧板とを備えたことを特徴とする受圧板の設置構造。
【発明の詳細な説明】
【技術分野】
【０００１】
本発明は、山留工事等の傾斜地盤安定工事において用いられる土留め壁（受圧板）の設置工法及び土留め壁（受圧板）の設置構造に関する。
【背景技術】
【０００２】
従来から、山留工事等の傾斜地盤安定工事においては、その傾斜地盤の地崩れを防止するのを目的に、前記傾斜地盤に土留め壁（以下、受圧板）をアンカー部材で固定するものが提供されている（特許文献１参照）。前記受圧板を設置するに際しては、設置する傾斜地盤が、平ら（陸）になっていることが必要とされる。すなわち、前記傾斜地盤が凹凸（不陸）となっていると、前記受圧板は、その凹凸によって偏った応力が生じる。この偏った応力が原因で、前記受圧板に亀裂が生じる場合がある。そこで、前記傾斜地盤の凹凸を均すのにあたって、前記受圧板と傾斜地盤との間に、パッカー等の袋状に形成された座布団部材を敷設し、該座布団部材の内部にセメントミルクをはじめとするグラウト材等の固結材を注入することが提案されている。
【０００３】
しかしながら、前記座布団部材にグラウト材等の固結材が注入されると、前記アンカー部材は、前記固結材自体の重みで傾いてしまい、所望位置からずれてしまう問題があった。これに従い、前記座布団部材の厚みも均一に膨らまないものとなっていた。特に、受圧板を設置した状態では、厚みの不均一が顕著に現れてくる。そこで、従前では、前記アンカー部材を仮緊張させ、その支持力によって該アンカー部材の位置を適切にし、加えて座布団部材を均一な厚みとしていた。しかし、このようなアンカー部材の仮緊張工程は、施工上の工程数を増やし、設置作業を煩雑なものとする問題があった。
【特許文献１】特開２００３−１８４０７９号公報
【発明の開示】
【発明が解決しようとする課題】
【０００４】
本発明は、上述の事情に鑑みなされたものであって、受圧板設置作業上の煩雑さを解消し、さらに、打ち込まれたアンカー部材が傾くこともなく適切な位置及び角度を保つことができ、受圧板やアンカー部材等を含むアンカー全体の耐用年数も長期間に延ばすことができる受圧板の設置工法及び受圧板の設置構造を提供することにある。
【課題を解決するための手段】
【０００５】
前記課題を解決するために、本発明は、以下の手段の受圧板の設置工法及び受圧板の設置構造を提供する。
請求項１に係る発明は、傾斜地盤の地崩れを防止するために設置されたアンカー部材の基端に受圧板を取り付ける受圧板の設置工法であって、前記アンカー部材が設置されるアンカー孔の口部周辺を均し且つ該口部周辺に係止する外フランジをパイプ本体の中間部に設けた第一パイプ部材を前記アンカー孔の口部に嵌め込む工程（第１工程）と、前記アンカー孔から突出した前記第一パイプ部材の突出部に座布団部材を敷設し、且つ前記受圧板の下面に当接して該受圧板を前記傾斜地盤から所定量持ち上げた位置に位置決めするための外フランジをパイプ本体の受圧板載置側端部に設けた第二パイプ部材を、前記第一パイプ部材に設けられた突出部に嵌め込む工程（第２工程）と、前記第二パイプ部材の外フランジに受圧板を載置した状態で前記座布団部材に固結材を注入する工程（第３工程）とを備えたことを特徴とする。
【０００６】
この発明に係る受圧板の設置工法においては、受圧板を設置されるに際して、該受圧板は、アンカー孔に沿って設けられた第一パイプ部材及び第二パイプ部材からの支持を受けることとなる。これに従い、一時的ではあるが、その支持を受ける部分以外は、中空に浮かんだものとなる。従って、受圧板の下側に設けられた座布団部材に、固結材を注入するに際しては、座布団部材は、前記受圧板やアンカー部材からの重みを受けず、注入される固結材の偏りは解消されて、均一な厚みで膨らませることができる。加えて、アンカー部材を適切な位置及び角度に保ち、受圧板を傾斜地盤に対して適切に設置できる。
【０００７】
請求項２に係る発明は、傾斜地盤の地崩れを防止するために設置されたアンカー部材の基端に受圧板を取り付ける受圧板の設置構造であって、前記アンカー部材が設置されるアンカー孔の口部に嵌め込まれ、且つ該口部に係止する外フランジをパイプ本体の中間部に設けた第一パイプ部材と、前記第一パイプ部材に設けられた突出部に嵌め込まれ、且つ前記受圧板の下面に当接して該受圧板を前記傾斜地盤から所定量持ち上げた位置に位置決めするための外フランジをパイプ本体の受圧板載置側端部に設けた第二パイプ部材と、前記第一パイプ部材の外フランジと前記第二パイプ部材の外フランジとの間に設けられる座布団部材と、前記第二パイプ部材の外フランジに載置される受圧板とを備えたことを特徴とする。
【０００８】
この発明に係る受圧板の設置構造においては、受圧板を設置されるに際して、該受圧板は、アンカー孔に沿って設けられた第一パイプ部材及び第二パイプ部材からの支持を受けることとなる。これに従い、一時的ではあるが、その支持を受ける部分以外は、中空に浮かんだものとなる。従って、受圧板の下側に設けられた座布団部材に、固結材を注入するに際しては、座布団部材は、前記受圧板やアンカー部材からの重みを受けず、注入される固結材の偏りは解消されて、均一な厚みで膨らませることができる。加えて、アンカー部材を適切な位置及び角度に保ち、受圧板を傾斜地盤に対して適切に設置できる。
【発明の効果】
【０００９】
この発明に係る受圧板の設置工法及び受圧板の設置構造によれば、アンカー部材を仮緊張させる作業工程を省いて受圧板を設置することができる。従って、受圧板設置作業上の煩雑さを解消し、さらには、受圧板の位置を移動させることがない上、打ち込まれたアンカー部材が傾くこともなく、共に適切な位置及び角度を保つ。また、座布団部材は均一な厚みで適切に膨らまされるため、受圧板やアンカー部材等のアンカー全体の耐用年数も、長期間に延ばすことができる。
【発明を実施するための最良の形態】
【００１０】
本発明に係る受圧板の設置構造の実施形態を、図面を参照しながら説明する。
図１に示す受圧板６０の設置には、図５の横断面図に示すように、傾斜地盤１０の地崩れを防止するために設置されるアンカー部材２１の基端２１ａに受圧板６０を取り付ける受圧板の設置構造である。すなわち、傾斜地盤１０に削孔されたアンカー孔２０の口部２２には、入口パイプ部材（第一パイプ部材）３０が設けられる。前記入口パイプ部材３０は、パイプ本体３１の中間部３０Ｍに、外側に突出するように平板で形成された外フランジ３２が設けられる。前記外フランジ３２の下面は、前記アンカー孔２０の口部周辺２３に係止されている。従って、前記外フランジ３２より下側のパイプ本体３１は前記アンカー孔２０の内部に埋設して埋設部３３を形成し、前記外フランジ３２より上側のパイプ本体３１は前記アンカー孔２０の外部に突出して突出部３４を形成することとなっている。なお、前記埋設部３３は、アンカー孔２０の内壁２４に密着している。
【００１１】
前記入口パイプ部材３０の突出部３４には、受けパイプ部材（第二パイプ部材）４０が嵌め込まれる。前記受けパイプ部材４０は、前記入口パイプ部材３０のパイプ本体３１の径より僅かに大きく形成され、がたつきなく前記入口パイプ部材３０の突出部３４に密着して嵌め込まれている。前記受けパイプ部材４０は、パイプ本体４１の受圧板載置側端部４０Ｅに、外側に突出するように平板で形成された外フランジ４２が設けられる。また、前記パイプ本体４１は、後に説明する座布団部材５０の厚みに合わせて適宜の長さで形成されている。前記受けパイプ部材４０の外フランジ４２には、受圧板６０が載置される。前記入口パイプ部材３０の外フランジ３２と、前記受けパイプ部材４０の外フランジ４２との間には、座布団部材５０が敷設される。前記座布団部材５０は、後にも説明するが、内部に固結材５２を注入して受圧板６０を支持する。
【００１２】
次に、前記受圧板６０の設置工法の実施の形態を、図面を参照しながら説明する。なお、図２から図５は傾斜地盤に受圧板を設置する各工程の要部横断面図を示す。
図２は、受圧板６０のアンカー部材の設置する工程を示し、傾斜地盤１０を削ってアンカー孔２０を設け該アンカー孔２０に長軸のアンカー部材２１を打ち込む工程を示す横断面図である。すなわち、前記アンカー孔２０は、後に挿入するアンカー部材２１の径、長さ及び角度に合わせた適宜のケーシングを用いて削孔される。前記アンカー孔２０は削孔された後に、前記アンカー孔２０に長軸で形成されるアンカー部材２１を挿入して打ち込む。そして、前記アンカー孔２０に適宜の内部グラウト材２８を注入し、前記アンカー部材２１に適宜の支持力を付す。
【００１３】
図３は、受圧板６０の設置工法の第１工程を示し、前記アンカー孔２０の口部２２の周辺２３を均し、加えて、前記アンカー孔２０の口部２２に入口パイプ部材（第一パイプ部材）３０を設ける工程を示す横断面図である。すなわち、上述した削孔によって共に削られた前記アンカー孔２０の口部２２の周辺２３を、モルタル等の適宜の均し材２６で均す。従って、前記口部２２の周辺２３は、前記均し材２６によって傾斜地盤が平坦なものにされると同時に、適宜の硬度が付与される。
【００１４】
前記アンカー孔２０の口部２２に、入口パイプ部材３０を挿入して嵌め込む。前記入口パイプ部材３０は、外径を前記アンカー孔２０の孔径と同程度の径で形成され、そのパイプ本体の中間部３０Ｍにパイプ本体３１から垂直に突出する外フランジ３２が形成されている。前記入口パイプ部材３０は、前記外フランジ３２によって、前記アンカー孔２０に埋設する埋設部３３と、該アンカー孔２０から突出する突出部３４とに分けて形成されている。前記突出部３４は、後に図示して説明する座布団部材５０及び受圧板６０を挿通可能な長さで突出して形成されている。従って、前記入口パイプ部材３０は、前記パイプ本体３１の埋設部３３が前記アンカー孔２０内部の内壁２４に密着とすると共に、外フランジ３２が均し材２６によって均された前記入口周辺２３に密着するものとなっている。
【００１５】
図４は、受圧板の設置工法の第２工程を示し、前記入口パイプ部材３０の突出部３４に座布団部材５０を敷設し、そして、前記入口パイプ部材３０に受けパイプ部材（第二パイプ部材）４０を取り付ける工程を示す横断面図である。前記外フランジ３２から突出する突出部３４を座布団部材５０の図示しない孔に嵌め込み、前記入口パイプ部材３０に座布団部材５０が設けられる。前記座布団部材５０は可撓性を有した材で袋状に膨らむ袋部５１を備え、該袋部５１はセメントミルク等の固結材５２が注入可能となっている。前記固結材５２が前記袋部５１に注入されると、該袋部５１は前記傾斜地盤１０の凹凸を均すように膨らむようになっている。
【００１６】
前記第２工程では、次に、前記入口パイプ部材３０の外径より僅かに大きい内径で構成される受けパイプ部材（第２パイプ部材）４０を、前記入口パイプ部材３０の突出部３４に嵌め込んで取り付ける。前記受けパイプ部材４０は、適宜の長さのパイプ本体４１を有すると共に、該パイプ本体４１の受圧板６０側パイプ端部４０Ｅに外フランジ４２を有する。前記パイプ本体４１は、前記入口パイプ部材３０の突出部３４のパイプ本体３１ｂに密着する部分であり、これによって前記受けパイプ部材４０に適当な支持力が付されて、後に説明する受圧板６０を一時的に支持することができる。また、前記外フランジ４２は、後に説明する受圧板６０の下面に当接して該受圧板６０を載置する部分であり、前記パイプ本体４１から垂直に突出して形成される。なお、前記パイプ本体４１は、前記座布団部材５０の厚みに合わせて形成されるものである。すなわち、前記パイプ本体４１の周垂直方向の長さによって、前記外フランジ４２に載置される受圧板６０の前記傾斜地盤１０から持ち上げられる位置の位置決めがなされることとなる。また、前記受けパイプ部材４０の外フランジ４２から、前記入口パイプ部材３０の突出部３４が突出するようになっている。外フランジ４２から突出する突出部３４は、後に説明する受圧板６０に設けられる孔に嵌め込まれる部分となる。
【００１７】
図５は、受圧板６０の設置工法の第３工程を示し、前記受けパイプ部材４０の外フランジ４２に受圧板６０を載置して、前記座布団部材５０の袋部５１に固結材５２を注入する工程を示す横断面図である。すなわち、前記傾斜地盤１０の土留め壁となる受圧板６０を、前記受けパイプ部材４０の外フランジ４２に載置する。このとき、前記受圧板６０の中央に設けられる孔には、前記外フランジ４２から突出した突出部３４が嵌め込まれる。その後、セメントミルク等の固結材５２を前記座布団部材５０の固結材注入部から注入し、前記袋部５１を膨張させていく。すなわち、前記袋部５１は、前記傾斜地盤１０の凹凸を埋め込むように膨らんでいき、前記傾斜地盤１０を平坦にすると同時に、受圧板６０を下側から支持していくようになる。前記袋部５１が完全に膨らみ且つ前記固結材が硬化すると、受圧板６０は、前記受けパイプ部材４０ではなく、前記座布団部材５０によって支持されることとなる。なお、前記座布団部材５０と受圧板６０との間には、適宜のラス６５が敷設される。
【００１８】
上述の受圧板の設置工法によって前記受圧板６０を設置すると、前記入口パイプ部材（第一パイプ部材）３０の埋設部３３が、前記アンカー孔２０内部のパイプ本体２４に密着する共に、外フランジ３２が均し材２６によって均された前記入口周辺２３に密着する。従って、前記入口パイプ部材３０は、その密着で上下左右に動くことのなく固定されたものとなる。また、前記受けパイプ部材４０にあっても、前記入口パイプ部材３０に密着するように嵌め込んで取り付けられるため、その密着で上下左右に動くことのなく固定されたものとなる。以上より、前記の二つのパイプ部材３０，４０は、アンカー孔２０から適当な支持力が付されて固定される。
【００１９】
前記受圧板は６０、前記入口パイプ部材３０と受けパイプ部材４０の上に配設されるため、座布団部材の支持力を受けなくても、支持固定されることとなる。加えて、前記アンカー部材２１も適切な位置及び角度が保たれる。そのため、前記座布団部材５０は、その袋部５１に固結材５２を注入して膨らませるに際して、前記受圧板６０の重みを受けなくなる上、前記アンカー部材２１の重みも受けなくなる。従って、前記座布団部材５０は、偏りなく膨張できて、前記受圧板６０を好適に支持できるようになる。
【００２０】
これによって、従来、座布団部材５０が偏ってしまうことを防止するために、アンカー部材２１を仮緊張させる工程を必要としていたが、この工程を省くことができ、作業者の負担を軽減する。また、前記アンカー部材２１に座布団部材５０が接触しない構成であるため、アンカー部材２１の頭部背面構造が健全に保てるものとなって、アンカー全体１の耐用年数も従来に比して長期間に延ばすことができることとなる。
【００２１】
なお、本発明は上記の実施の形態に限定されるものではなく、本発明の趣旨を逸脱しない範囲において適宜の選択及び付加をすることができる。
例えば、図６（ａ），図６（ｂ）に示すように、前記受圧板６０の端部６１を、回転防止金具７０を介して傾斜地盤１０等の固定面に固着してもよい。すなわち、前記回転防止金具７０は、図６（ａ）の横断面図に示すように、横断面Ｌ字状で構成され、一側面を傾斜地盤１０に固着する傾斜地盤設置面７１とし、他側面を前記受圧板６０の端部６１に固着する受圧板係止面７２とする。回転防止金具７０の前記受圧板係止面７２には、図６（ｂ）の回転防止金具正面図に示すように、長方形で切削され、ナット７５を挿通可能とする長形の孔７３が形成される。ナット７５は、前記長形の孔７３に挿通して、前記受圧板６０の端部螺合孔（不図示）に螺着する。これによって、前記受圧板６０の傾斜地盤からの固定支持力は高められる。なお、前記ナット７５は、その螺着を緩めると、前記長形の孔７３内を移動自在にされるため、前記受圧板６０の設置角度等を適宜なものに変更できる。加えて、受圧板６０のがたつきや、回転等も防止することができる。
【図面の簡単な説明】
【００２２】
【図１】設置された受圧板の横断面図である。
【図２】受圧板の設置工法の第１工程を示す横断面図である。
【図３】受圧板の設置工法の第１工程を示す横断面図である。
【図４】受圧板の設置工法の第２工程を示す横断面図である。
【図５】受圧板の設置工法の第３工程を示す横断面図である。
【図６】受圧板端部に設けられるがたつき回転防止金具を示す図である。
【符号の説明】
【００２３】
１０    傾斜地盤
２０    アンカー孔
２１    アンカー部材
２２    口部
２３    口部周辺
３０    入口パイプ部材（第一パイプ部材）
３０Ｍ    パイプ本体の中間部
３１    パイプ本体
３２    外フランジ
３４    突出部
４０    受けパイプ部材（第二パイプ部材）
４０Ｅ    パイプ本体の受圧板載置側端部
４１    パイプ本体
４２    外フランジ
５０    座布団部材
５２    固結材
６０    受圧板
【図１】
2005350991.tif 000003
【図２】
2005350991.tif 000004
【図３】
2005350991.tif 000005
【図４】
2005350991.tif 000006
【図５】
2005350991.tif 000007
【図６】
2005350991.tif 000008